(57)【要約】  【課題】収納されるべき電気機器ユニットの取り付け取外しや、配線作業やメンテナンスなどの作業性を改善する。  【解決手段】天井面１に固定される上面部材２と、この上面部材に下方から取り付けられる前面開閉扉３１付きカバー部材３とからなり、この上面部材２の内面には、一対のガイドレール２１が配設されていて、そこには電気機器ユニット４を固定するためのマウントユニット５をスライド可能に取り付けられている。必要に応じてカバー部材３を取外した状態で、マウントユニット５は取り付けられている一対のガイドレール２１をスライドして、マウントユニット５自体を取り外し、あるいは取り付けることができるよう構成されている。  【選択図】  図１
2005129787.tif 000002
【特許請求の範囲】
【請求項１】
天井面に取り付けられる電気機器収納用箱であって、天井面に固定される上面部材と、この上面部材に下方から取り付けられるカバー部材とからなり、この上面部材には、電気機器ユニットを固定するためのマウントユニットをスライド可能に取り付ける一対のガイドレールを配設して、そのマウントユニットをスライドさせて、取外し取り付け可能としたことを特徴とする電気機器収納用箱。
【請求項２】
前記カバー部材が、前面開閉扉と側面部と下面部からなり、その下面部前端縁部に開閉扉が蝶番で固定され、引き下げて開き、引き上げて閉じるようにした請求項１に記載の電気機器収納用箱。
【請求項３】
前記マウントユニットが、固定すべき電気機器ユニットを固定するための一対のアーム部を左右に垂下して設けた門型部材からなり、その左右の肩部には前記ガイドレールに係合する凸部を設けるとともに、この凸部を前記ガイドレールに係合させ、マウントユニットを前記ガイドレールに沿ってスライド可能としたものである請求項１または２に記載の電気機器収納用箱。
【発明の詳細な説明】
【技術分野】
【０００１】
本発明は、電気機器ユニットを固定するためのマウントユニットを備えた電気機器収納用箱の改良に関する。
【背景技術】
【０００２】
従来、電気機器ユニットを固定するためのマウントユニットを備えた電気機器収納用箱はラックマウント型電気機器収納箱として知られている。この収納箱は、内部の収納電気機器が増加した場合には、箱本体の奥行きサイズを大きくして対応するものであり、その結果、配線作業やメンテナンスに支障が生じたり、占有面積が増大し、通行を妨害するなどの問題があった。そこで、本発明出願人は、これらの問題を解消する電気機器収納用箱を先に提案している。（特許文献１を参照のこと）
【特許文献１】特開２００３−１４２８５７号公報：特許請求の範囲、図１、２、３の記載。
【０００３】
この電気機器収納用箱は、直方箱本体の両側の側扉を設けるとともに、電気機器ユニットを多数並列できるコ字状のマウントユニットを、その側扉近傍に取り付けた構造からなり、箱本体の奥行きサイズを大きくすることなく収納機器の増加に対応でき、配線作業やメンテナンスを容易にできるよう改良したものである。
【０００４】
ところが、最近では天井面の空間を利用して電気機器収納用箱を設置する必要が生じた。この目的には、通常、前記したような電気機器収納用箱で対応しているのであるが、収納箱自体が作業者の頭上に位置するところから、足場が悪い上、電気機器ユニットの取り付け取外しや、配線作業やメンテナンスなどの作業が著しく困難であって、作業性の改善が要望されていた。
【発明の開示】
【発明が解決しようとする課題】
【０００５】
本発明は、上記の問題点を解決するためになされたものであり、収納されるべき電気機器ユニットの取り付け取外しや、配線作業やメンテナンスなどの作業性を改善した天井取り付け型の電気機器収納用箱を提供する。
【課題を解決するための手段】
【０００６】
上記の問題は、天井面に取り付けられる電気機器収納用箱であって、天井面に固定される上面部材と、この上面部材に下方から取り付けられるカバー部材とからなり、この上面部材には、電気機器ユニットを固定するためのマウントユニットをスライド可能に取り付ける一対のガイドレールを配設して、そのマウントユニットをスライドさせて、取外し取り付け可能としたことを特徴とする本発明の電気機器収納用箱によって、解決することができる。
【０００７】
また、本発明は、前記カバー部材が、前面開閉扉と側面部と下面部からなり、その下面部前端縁部に開閉扉が蝶番で固定され、引き下げて開き、引き上げて閉じるようにした形態に具体化できる。さらには、前記マウントユニットが、収納すべき電気機器ユニットを固定するための一対のアーム部を左右に垂下して設けた門型部材からなり、その左右の肩部には前記ガイドレールに係合する凸部を設けるとともに、この凸部を前記ガイドレールに係合させ、マウントユニットを前記ガイドレールに沿ってスライド可能としたものである形態の電気機器収納用箱に具体化できる。
【０００８】
本発明における電気機器ユニットとは、ある機能を発揮するよう設計された１単位の電気機器類であって着脱が容易なようにコンパクトにまとめられたものをいう。電子機器を含むものであり、例えば、通信機器ユニット、ＨＵＢユニットなどがある。
【０００９】
本発明において天井とは、文字通り部屋内の天井を意味する一般的な用語以外に、軒や庇などの裏面、ダクトやキャビネットなど空間の内側上面を意味するものであり、要するに、下方に向けてある程度の空間が存在する面の意味で用いている。
【発明の効果】
【００１０】
本発明の電気機器収納用箱は、第１に、電気機器ユニットを固定するためのマウントユニットを取り付ける一対のガイドレールを配設しているので、メンテナンスなどの作業でマウントユニットが落下するトラブルが生じない。さらに、第２に、そのマウントユニットをスライドさせて取外し取り付け可能としているので、マウントユニットの取付け作業や取り外し作業の作業性が格別に向上する。
【００１１】
さらに、収納する電気機器ユニットの取付け作業や取り外し作業に際して、マウントユニットを作業しやすい手元まで引き出して安全に電気機器ユニットの取付け固定、取り外しが行なえるようになるという利点が得られる。特に、重量のある電気機器ユニットの場合に有効な電気機器収納用箱が得られる。
【００１２】
さらに、本発明の電気機器収納用箱は、天井面に固定される上面部材に前面開閉扉付きカバー部材を取り付けたもので、このカバー部材を構成する下面部前端縁部に開閉扉が蝶番で固定され、引き下げて開き、引き上げて閉じるように構成されているので、カバー部材を取り外せば扉を含めて全体が外れて、マウントユニットが完全に露出するので前記した施工作業性に優れたものとなる。
【００１３】
また、扉を開いた場合には、下方のカバー部材側に取り付けられているので開放状態を保つための操作や補助部材が必要でないので、作業性向上やコスト低減に効果的である。このように、本発明は、電気機器ユニットの取り付け、取外しや、配線作業やメンテナンスなどの作業性を改善できるという優れた効果があるから、従来の問題点を解消した電気機器収納用箱として、実用的価値はきわめて大なるものがある。
【発明を実施するための最良の形態】
【００１４】
次に、本発明の電気機器収納用箱に係る実施形態について、図１〜４を参照しながら説明する。
本発明の全体像を示す図１〜３に示すように、その基本的構造は、天井面１に取り付けられる電気機器収納用箱であって、天井面に固定される上面部材２と、この上面部材に下方から取り付けられる前面開閉扉３１付きカバー部材３とからなり、この上面部材２の内面には、一対のガイドレール２１が配設されていて、そこには電気機器ユニット４を固定するためのマウントユニット５をスライド可能に取り付けられているものである。
【００１５】
そして、そのマウントユニット５は取り付けられている一対のガイドレール２１をスライドして、必要に応じてカバー部材を取外した状態で、マウントユニット５自体を取り外し、あるいは取り付けることができるよう構成されている点に特徴がある。
【００１６】
さらに好ましい形態を説明すると、本発明の上面部材２は、前記天井面に固定される部材であって、その後部には裏面部２３が垂下、形成され、後記のカバー部材３と組み合わされて箱型容器を形成する。そして、表面四隅には、取付け孔２４が準備され、その内面には、後記するマウントユニット５をスライド可能に取り付けるための一対の断面コ字状のガイドレール２１が前後方向に伸びて配設されている。
【００１７】
また、前記カバー部材３は、前面を開閉できる開閉扉３１と、箱型容器の側面と底面を構成する側面部３３と下面部３２からなり、その下面部３２の前側もしくは下面部前端縁部３２ａに開閉扉３１が蝶番３１ａで固定され、引き下げて開き、引き上げて閉じるよう取り付けられる。かくして、このカバー部材３は、図１に示すように、上面部材２に着脱自在に取り付けられる。なお、図１では、前面開閉扉３１は引き下げ開けられて開放状態になっている。また、この前面開閉扉３１と側面部３３と下面部３２には、適宜サイズの換気ルーバーが形成されている。
【００１８】
かくして、本発明によれば、カバー部材３を取り外せば開閉扉３１を含めてマウントユニット５を覆っているカバー部材３全体が外れて、マウントユニット５が完全に露出するので、マウントユニット５を中心とした機器着脱、配線工事、メンテナンス作業など各種作業が容易に行なえる利点が得られる。
また、開閉扉３１を開いた場合には、下方のカバー部材３側に蝶番３１ａで取り付けられているので自重で開放状態が保てるから、マウントユニット５に取り付けられた電気機器ユニット４の点検、確認作業を行うことができ、格別の操作や補助部材が必要でない利点も得られるのである。
【００１９】
次に、マウントユニット５について説明すると、このマウントユニット５は、図３に示すように、横枠材５１に、収納すべき電気機器ユニット４を固定するための一対のアーム部５２、５２を左右に下垂して設けた門型部材からなり、図４に示すように、その左右の肩部には、横方向に突出して前記ガイドレール２１に係合する凸部５ａを設けるとともに、この凸部５ａを前記ガイドレール２１に係合させ、マウントユニット５を取り付ければ、マウントユニット５を前記ガイドレール２１に沿って前後方向にスライド可能に構成される。なお、マウントユニット５は、通常は、完全に納められた状態でガイドレール２１に取付ねじなどで固定される。また、前記ガイドレール２１は図示のコ字状に限定されず、前記凸部５ａをスライド可能に支承するレール材が利用できるのである。
【００２０】
かくして、本発明では、マウントユニット５を垂下状態で取り付ける一対のガイドレール２１を配設しているので、マウントユニット５が落下するトラブルが生じない。さらに、そのマウントユニット５は、単独で、または電気機器ユニット４を取り付けた状態で、前後にスライド可能であり、箱型容器に対して出し入れ、かつ取外し取り付けができるので、マウントユニット５の取付け作業や取り外し作業が容易に行なえる利点がある。
さらに、収納する電気機器ユニット４の取付けや取り外しの作業は、必要に応じてカバー部材３を取外して、マウントユニット５を作業しやすい手元まで引き出して安全に行なえるという利点も得られるのである。
【図面の簡単な説明】
【００２１】
【図１】本発明の実施形態を説明するための要部斜視図。
【図２】本発明の取付け状態を示す仰観斜視図。
【図３】本発明の主構成部材の展開斜視図。
【図４】本発明の一部切り欠き部分正面図。
【符号の説明】
【００２２】
１：天井面
２：上面部材、２１：ガイドレール、２３：裏面部、２４：取付け孔
３：カバー部材、３１：前面開閉扉、３１ａ：蝶番、３２：下面部、３２ａ：下面部前端縁部、３３：側面部
４：電気機器ユニット、
５：マウントユニット、５ａ：凸部、５１：横枠材、５２：アーム部
【図１】
2005129787.tif 000003
【図２】
2005129787.tif 000004
【図３】
2005129787.tif 000005
【図４】
2005129787.tif 000006